(57)【要約】【課題】ユーザーが容易に前面パネルを取り外すことが出来なく、サービス工事時には、安全性の向上とサービス性の向上を図った空気調和機の室内ユニットを提供する。【解決手段】台枠１と、送風装置２と、電源部１０と、台枠１の前面に着脱可能な前面枠４と、着脱摺動部７を介して前面枠４の前面に着脱自在に取り付けられる前面パネル６とを備え、着脱摺動部７に、前面パネル６を着脱不可にするためのパネル固定具８を設け、パネル固定具８は、それを前面枠４に固定するための専用固定部品９を有したもので、ユーザーが容易に前面パネル６を取り外すことが出来なく、前面パネル６への電源部１０の搭載を可能にし、またサービス工事時には、専用固定部品９を外し、パネル固定具８を取り外して前面パネル６を取り外してから、前面枠４の取り外し作業にかかる構成となり、作業手順の間違いを防止し、安全性の向上とサービス性の向上を図ることができる。【選択図】図１
2011012842.tif 000002
【特許請求の範囲】
【請求項１】
台枠と、送風装置と、電源部と、前記台枠の前面に着脱可能な前面枠と、着脱摺動部を介して前記前面枠の前面に着脱自在に取り付けられる前面パネルとを備え、前記着脱摺動部に、前記前面パネルを着脱不可にするためのパネル固定具を設け、前記パネル固定具は、前記パネル固定具を前記前面枠に固定するための専用固定部品を有したことを特徴とする空気調和機の室内ユニット。
【発明の詳細な説明】
【技術分野】
【０００１】
本発明は、空気調和機の室内ユニットの構成に関するものである。
【背景技術】
【０００２】
従来の空気調和機の室内ユニットについて図４を参照しながら説明する。図４は、従来の空気調和機の室内ユニットの斜視図である。
【０００３】
従来の空気調和機の室内ユニットは、図４に示すように、台枠１、送風装置２、電源部３、台枠１前面に着脱可能な前面枠４を具備し、前面枠４は、正面に前面枠４を台枠１及び送風装置２に固定するためのネジ固定部５を有し、さらに前面枠４の前面に着脱可能な前面パネル６を設けている。前面パネル６の着脱摺動部７には、スライドツマミ１１を設け、前面枠４に設けたレール部１２に沿って上下にスライドツマミ１１をスライドさせることにより、着脱可能状態と不可能状態を切り替える構成としていた（例えば、特許文献１参照）。
【先行技術文献】
【特許文献】
【０００４】
【特許文献１】特許第３４１２３６５号公報
【発明の概要】
【発明が解決しようとする課題】
【０００５】
しかしながら、前記従来の空気調和機の室内ユニットの構成では、サービス工事時、分割された前面枠４を取り外す際には、まず前面パネル６を取り外さなければならず、また前記前面パネル６への電源部３の搭載等の理由でユーザーでは、前記前面パネル６の取り外しが出来ない構成とする場合においても、サービス時には前記前面パネル６を取り外しやすい構成にしなければならないという課題を有していた。
【０００６】
本発明は、前記従来の課題を解決するもので、ユーザーが容易に前記前面パネルを取り外すことが出来なく、前記前面パネルへの電源部の搭載を可能にし、またサービス工事時には、作業手順の間違いを防止し、安全性とサービス性の向上を図った空気調和機の室内ユニットを提供することを目的とする。
【課題を解決するための手段】
【０００７】
前記従来の課題を解決するために、本発明の空気調和機の室内ユニットは、台枠と、送風装置と、電源部と、前記台枠の前面に着脱可能な前面枠と、着脱摺動部を介して前記前面枠の前面に着脱自在に取り付けられる前面パネルとを備え、前記着脱摺動部に、前記前面パネルを着脱不可にするためのパネル固定具を設け、前記パネル固定具は、前記パネル固定具を前記前面枠に固定するための専用固定部品を有したもので、ユーザーが容易に前面パネルを取り外すことが出来なく、前記前面パネルへの電源部の搭載を可能にし、またサービス工事時には、パネル固定具の専用固定部品を外し、前記パネル固定具を取り外して前記前面パネルを取り外してから、前面枠の取り外し作業にかかる構成となり、作業手順の間違いを防止し、安全性とサービス性の向上を図ることができる。
【発明の効果】
【０００８】
本発明の空気調和機の室内ユニットは、ユーザーが容易に前面パネルを取り外すことが出来なく、前記前面パネルへの電源部の搭載を可能にし、またサービス工事時には、パネル固定具の専用固定部品を外し、前記パネル固定具を取り外して前記前面パネルを取り外
してから、前面枠の取り外し作業にかかる構成となり、作業手順の間違いを防止し、安全性の向上とサービス性の向上を図ることができる。
【図面の簡単な説明】
【０００９】
【図１】本発明の実施の形態１による室内ユニットの斜視図
【図２】同室内ユニットの前面パネル着脱摺動部における部分斜視図
【図３】同室内ユニットの前面パネル着脱摺動部におけるパネル固定具取り外し状態の部分斜視図
【図４】従来の空気調和機の室内ユニットの斜視図
【発明を実施するための形態】
【００１０】
第１の発明は、台枠と、送風装置と、電源部と、前記台枠の前面に着脱可能な前面枠と、着脱摺動部を介して前記前面枠の前面に着脱自在に取り付けられる前面パネルとを備え、前記着脱摺動部に、前記前面パネルを着脱不可にするためのパネル固定具を設け、前記パネル固定具は、前記パネル固定具を前記前面枠に固定するための専用固定部品を有したもので、ユーザーが容易に前面パネルを取り外すことが出来なく、前記前面パネルへの電源部の搭載を可能にし、またサービス工事時には、パネル固定具の専用固定部品を外し、前記パネル固定具を取り外して前記前面パネルを取り外してから、前面枠の取り外し作業にかかる構成となり、作業手順の間違いを防止し、安全性とサービス性の向上を図ることができる。
【００１１】
以下、本発明の実施の形態について、図面を参照しながら説明する。なお、この実施の形態によって本発明が限定されるものではない。
【００１２】
（実施の形態１）
図１は、本発明の実施の形態１による空気調和機の室内ユニットの斜視図、図２は、同室内ユニットの前面パネル着脱摺動部における部分斜視図、図３は、同室内ユニットの前面パネル着脱摺動部におけるパネル固定具取り外し状態の部分斜視図である。尚、上記従来の空気調和機の室内ユニットと同一部分には、同一符号を付してその説明を省略する。
【００１３】
図１、図２、図３において、本実施の形態における空気調和機の室内ユニットは、前面パネル６の着脱摺動部７に、前面パネル６を着脱不可にするためのパネル固定具８を設け、パネル固定具８は、前面枠４に固定するための専用固定部品９を有している。
【００１４】
専用固定部品９は、カギ状になっており係合する前面枠４には、カギ状孔１３を設けて専用固定部品９を回転させることにより装着させる。これにより、ユーザーが容易に前面パネル６を取り外すことが出来なく、前面パネル６への電源部１０の搭載を可能にし、またサービス工事時には、専用固定部品９を外し、パネル固定具８を取り外して前面パネル６を取り外してから、前面枠４の取り外し作業にかかる構成となり、作業手順の間違いを防止し、安全性の向上とサービス性の向上を図ることができる。
【産業上の利用可能性】
【００１５】
以上のように、本発明に係る空気調和機の室内ユニットは、ユーザーが容易に前面パネルを取り外すことが出来なく、前面パネルへの電源部の搭載を可能にし、安全性の向上とサービス性の向上を図ることができるもので、各種空気調和機に適用可能である。
【符号の説明】
【００１６】
１  台枠
２  送風装置
４  前面枠
５  ネジ固定部
６  前面パネル
７  着脱摺動部
８  パネル固定具
９  専用固定部品
１０  電源部
１１  スライドツマミ
１３  カギ状孔
【図３】
2011012842.tif 000003
【図１】
2011012842.tif 000004
【図２】
2011012842.tif 000005
【図４】
2011012842.tif 000006